(57)【要約】      （修正有）【課題】飲料容器で飲んでいる最中に、急用で席を離れる際や電話で応対する際にも、置き場所に困らず、清潔を保つことができる飲料容器用のフタを提供する。【解決手段】飲料容器１の飲み口よりひと回り大きな平面と縁を有するフタ１０に、弾力性を有するクリップ３０が設けられており、飲料容器の飲み口部分に弾力を利用してクリップ３０を挿し込むことで、飲料容器１にフタ１０を保持することができる。また保持したまま飲料を飲むことが出来るので、置き場所に困らず、飲み口にフタをしたいときには、容易に抜き取ることができる。【選択図】図２
0003214651.tif 000002
【実用新案登録請求の範囲】
【請求項１】
飲料容器の飲み口の外径より大きな平面を持ち、前記平面の外周には起立壁を備えた縁を有するフタにあって、前記縁に、飲料容器の飲み口部分の内側と外側の垂直面に対してはめ込み保持可能な弾力性を有するクリップが設けられていることを特徴とする飲料容器用のフタ。
【請求項２】
前記平面には、開口部を有し、前記縁の起立壁の内側に複数個の突起を有し、前記突起と前記縁の間に、平面状の薄板がはめ込み可能であることを特徴とする請求項１記載の飲料容器用のフタ。
【請求項３】
前記クリップは、人形、動物、またはキャラクターの外形を摸して作られていることを特徴とする請求項１または請求項２記載の飲料容器用のフタ。
【考案の詳細な説明】
【技術分野】
【０００１】  本考案は、珈琲、紅茶、緑茶、ジュース等の容器である、マグカップ、コップ、湯のみ（以下マグカップ等という）等の飲料容器用のフタに関するものである。
【背景技術】
【０００２】  一般的に、湯冷め防止または埃侵入防止のためにマグカップ等のフタはあったが、フタの中身側や湯気等の水滴で机への汚れ等を防ぐために、外した状態ではフタを逆さにしてデスク等に置くのが常であった。
【先行技術文献】
【特許文献】
【０００３】
【特許文献１】実用新案登録第３１１９５６５号公報
【考案の概要】
【考案が解決しようとする課題】
【０００４】  フタを外したときにフタを逆さにして置くことは置きにくいばかりでなく、清潔を要する側に埃が乗りやすく、置いた状態でも不安定であり、書類などのあるデスクでは置き場所に困っていた。本考案はこの欠点を解決しようとするものである。
【課題を解決するための手段】
【０００５】  本考案の飲料容器用のフタは、飲料容器の飲み口の外径より大きな平面を持ち、前記平面の外周には起立壁を備えた縁を有するフタにあって、前記縁に、飲料容器の飲み口部分の内側と外側の垂直面に対してはめ込み保持可能な弾力性を有するクリップが設けられていることを特徴とする。クリップは、マグカップ等の飲み口部分の内側と外側の垂直面に、弾性を利用して接触しながらはめ込まれ保持されるため、マグカップ等と共にフタを傾けても落下することはない。【０００６】  また本考案は、前記平面には、開口部を有し、前記縁の起立壁の内側に複数個の突起を有し、前記突起と前記縁の間に、平面状の薄板がはめ込み可能であることを特徴とする。また、前記クリップは、人形、動物、またはキャラクターの外形を摸して作られていることを特徴とする。
【考案の効果】
【０００７】  以上の構成により、フタを逆さにしてデスクに置くこともなく、埃等もフタの清潔を要する側に乗ることもないので、置き場所に困ることがない。【０００８】  マグカップ等と共にフタを傾けても、クリップが外れて落下することがないので、フタをつけたまま、飲料を飲むことができ、クリップを引き抜くことで容易に飲み口から外れてマグカップ等にフタをすることが出来るので使い勝手が良い。【０００９】  好ましくは、フタの平面には、開口部を有し、縁の起立壁の内側に複数個の突起を有し、突起と前記縁の間に、平面状の薄板がはめ込み可能とすることで、フタの縁の間に平面状の薄板が嵌め込まれているので前記薄板が汚れた場合には取り外して、洗うことが出来る。よって常に清潔を保つことが出来るようになる。【００１０】  好ましくは、平面状の薄板が紙を主成分とすることにより安価で有り、汚れた場合には廃棄し、新しい平面状の薄板に取り替えることで、洗う手間を省くことが出来る。【００１１】  好ましくは、クリップは、人形、動物、またはキャラクターの外形を摸して作ることにより、またマグカップ等の面及びフタの平面には、人形、動物、またはキャラクターと関連したストーリー性のある装飾デザインを描くことで、使い手がストーリーを想像し、面白みのある豊かな世界観をつくることが出来る。
【図面の簡単な説明】
【００１２】
【図１】本考案のマグカップ等の飲み口にフタをした状態を簡略に図示した斜視図。
【図２】本考案のマグカップ等の飲み口にフタのクリップを挿し込み保持した状態を図示した斜視図。
【図３】本考案のマグカップ等の飲み口にフタのクリップを挿し込み保持した状態で傾けた場合でも保持している状態を図示した斜視図。
【図４】本考案のマグカップ等１の上にフタ１０が乗っている状態のフタの縁１１のＡ−Ａ’正面断面図。
【図５】本考案のマグカップ等１の飲み口にフタのクリップ３０を挿し込み保持した状態のＢ−Ｂ’正面断面図。
【図６】本考案のクリップ３０を人形、動物、またはキャラクターの外形を摸した斜視図。
【考案を実施するための形態】
【００１３】  マグカップ等の飲料容器の飲み口の外径より、大きな平面を持ち、平面には開口部を有し、平面の外周には起立壁を備えた縁を有するフタにあって、縁の起立壁の内側に複数個の突起を有し、突起と前記縁の間に、平面状の薄板が嵌め込まれる。縁には弾力性を有するクリップが設けられ、クリップは、マグカップ等の飲み口部分の内側と外側の垂直面に、弾力を利用して接触しながらはめ込まれ保持されるため、マグカップ等と共に前記フタを傾けても、落下することはない。
【実施例】
【００１４】  以下、添付図面に従って実施例を説明する。図１は本考案のマグカップ等１の飲み口にフタをした状態を簡略に図示した斜視図である。本考案にマグカップの持ち手は直接に関係しないので図示しない。図２は本考案のマグカップ等１の飲み口にフタのクリップ３０を挿し込み保持した状態を図示した斜視図であり、前記同様本考案にマグカップの持ち手は直接に関係しないので図示しない。図３は前記フタを保持した状態で傾けた場合でも保持し続けている状態を図示した斜視図である。【００１５】  図４はマグカップ等１の飲み口部分の上に、フタ１０が乗っている状態のフタの縁１１の図１Ａ−Ａ’の正面断面図である。マグカップ等１の飲み口部分の外面２と内面３と先端面４が図示されており、フタの縁１１に嵌め込まれた平面状の薄板２０の内側面２１と前記先端面４が接触することで、マグカップ等の容器内５が密閉される。【００１６】  フタの縁１１には縁の起立壁１２が外周に設けられており、前記縁の起立壁の内側に複数個の突起１３が配置する。前記突起１３とフタの縁１１の内側面１１ｂとには、隙間１４が設けられており、前記隙間１４は平面状の薄板２０の厚さより若干大きく設定されることで、前記隙間１４に、平面状の薄板２０の厚みが縁の突起１３を乗り越えて嵌め込まれることで一体化となる。【００１７】  フタの縁１１の図面上側の平面１１ａには、開口部を有している。本実施例ではフタの縁１１と同心円の大きな開口である。上記フタの縁１１に平面状の薄板２０がはめ込まれることで、平面状の薄板２０は容器内５を密閉してフタの役割を果たす。【００１８】  図５は、本考案のマグカップ等１の飲み口にフタのクリップ３０を挿し込み保持した状態の図２Ｂ−Ｂ’の正面断面図である。フタの縁１１の図４上側の平面１１ａの一部分に断面略Ｕ字形状で弾力性を有するクリップ３０を備えており、前記クリップ３０はクリップの立上壁３２と舌片３１が接続している。舌片の内側面３１ａとマグカップ等１の飲み口部の内面３と接触し、フタの縁１１の平面１１ａとマグカップ等１の飲み口部の外面２と接触し、クリップ３０の立上壁３２とマグカップ等１の先端面４とが接触して保持される。【００１９】  クリップ３０の立上壁３２と舌片３１は弾力性の有する材質としており、内側に傾いているので、前記舌片３１の内側面３１ａとマグカップ等１の飲み口部の内面３とが接触し、フタの縁１１の平面１１ａとマグカップ等１の飲み口部の外面２とが接触することで、マグカップ等１の内面３と外面２がクリップ３０によって弾力性をもって挟み込まれているので保持される。上記により、マグカップ等１に飲料を入れて前記の状態で傾けて飲む動作を行っても、フタ１０はマグカップ等１から外れることなく、保持されている。【００２０】  フタの縁１１の外周に設けられた縁の起立壁１２の内側に配置された複数個の突起１３は、その突起量は小さく半球状なので、平面状の薄板２０は撓るように変形しながら前記突起１３を超えて平面状の薄板２０を容易に嵌め込むことができる。逆に前記同様に前記平面状の薄板２０を外すことができるので、水洗いなどを行うことができる。【００２１】  前記平面状の薄板２０の主成分を紙とすることで、安��であるので汚れた場合には廃棄し、新しく清潔な平面状の薄板に取り替えることができる。【００２２】  図６は、クリップ３０を人形、動物、またはキャラクターの外形４０を摸している。  更にマグカップ等の外面２には、前記人形、動物、またはキャラクターと関連したストーリー性のある装飾デザイン５０を描いている。  クリップ３０の立上壁３２は図中ふくろうの足元の奥行き面に相当し、舌片３１は三日月に相当する。このように人形、動物、またはキャラクター４０の外形を立体的に摸すことで触覚、質感、及びマグカップ等の外面２に描かれた平面的な視覚の相乗効果で、使い手がストーリーを想像することで面白みのある豊かな世界観をつくることができる。【００２３】  好ましくは、前記平面状の薄板２０の外側面２２に、前記人形、動物、またはキャラクターと関連したストーリー性のある装飾デザインを描くことで、ストーリーを有する世界観が更にふくらみ、豊かな空間をつくることができる。
【産業上の利用可能性】
【００２４】  本考案は、飲料容器（マグカップ等）を製造する産業で利用される。
【符号の説明】
【００２５】  １  マグカップ等（飲料容器）
２  飲み口部の外面
３  飲み口部の内面
４  飲み口部の先端面
５  マグカップ等の容器内
１０  フタ
１１  フタの縁
１１ａ  縁の上側の平面
１１ｂ  縁の内側面
１２  縁の起立壁
１３  突起
１４  隙間
１５  穴
２０  平面状の薄板
２１  平面状の薄板の内側面
２２  平面状の薄板の外側面
３０  クリップ
３１  舌片
３１ａ  舌片壁の内側面
３２  立上壁
４０  人形、動物、またはキャラクターの外形を摸したクリップ
５０  ストーリー性のある関連デザイン
【図１】
0003214651.tif 000003
【図２】
0003214651.tif 000004
【図３】
0003214651.tif 000005
【図４】
0003214651.tif 000006
【図５】
0003214651.tif 000007
【図６】
0003214651.tif 000008